(57)【特許請求の範囲】
【請求項１】
被写体を撮像する撮像手段と、
少なくとも前記撮像手段による撮像により得られた画像データによって示される画像を表示する第１の表示手段と、
前記第１の表示手段よりも表示領域が広く、かつ少なくとも前記画像データによって示される画像を表示する第２の表示手段と、
表示先を前記第１の表示手段及び前記第２の表示手段の何れか一方に切り替えるように設定する設定手段と、
情報端末装置との間で通信を行なう通信手段と、
前記通信手段と前記情報端末装置との間で通信可能な状態であるか否かを検知する検知手段と、
前記検知手段により通信可能な状態であると検知され、かつ前記設定手段により前記第１の表示手段が表示先として設定されている場合は、画像の表示先を前記第１の表示手段から前記第２の表示手段に切り替え、前記第２の表示手段に前記情報端末装置との間で通信可能であることを示す情報を表示させた後、前記検知手段により通信可能な状態でないと検知され、かつ前記設定手段により前記第１の表示手段が表示先として設定されている場合は、画像の表示先を前記第２の表示手段から前記第１の表示手段に切り替えるように制御する制御手段と、
を備えたデジタルカメラ。
【請求項２】
前記制御手段は、前記第２の表示手段に前記情報を表示させるときに前記第１の表示手段への電力供給を遮断する
請求項１記載のデジタルカメラ。
【請求項３】
前記制御手段は、前記検知手段により通信可能な状態であると検知されたときに、前記通信手段と前記情報端末装置との間の通信モードを示す情報と、前記撮像手段による撮像によって得られた被写体のスルー画像と、の少なくとも一方を前記第２の表示手段に更に表示させる
請求項１又は請求項２記載のデジタルカメラ。
【請求項４】
少なくとも撮像手段による撮像により得られた画像データによって示される画像を表示する第１の表示手段と、前記第１の表示手段よりも表示領域が広く、かつ少なくとも前記画像データによって示される画像を表示する第２の表示手段と、表示先を前記第１の表示手段及び前記第２の表示手段の何れか一方に切り替えるように設定する設定手段と、情報端末装置との間で通信を行なう通信手段と、を備えたデジタルカメラを用いた情報提示方法であって、
前記通信手段と前記情報端末装置との間で通信可能な状態であるか否かを検知し、
通信可能な状態であると検知され、かつ前記設定手段により前記第１の表示手段が表示先として設定されている場合は、画像の表示先を前記第１の表示手段から前記第２の表示手段に切り替え、前記第２の表示手段に前記情報端末装置との間で通信可能であることを示す情報を表示させた後、通信可能な状態でないと検知され、かつ前記設定手段により前記第１の表示手段が表示先として設定されている場合は、画像の表示先を前記第２の表示手段から前記第１の表示手段に切り替えるように制御する
情報提示方法。
【請求項５】
前記第２の表示手段に前記情報を表示させるときに前記第１の表示手段への電力供給を遮断する
請求項４記載の情報提示方法。
【請求項６】
前記通信可能な状態であると検知されたときに、前記通信手段と前記情報端末装置との間の通信モードを示す情報と、前記撮像手段による撮像によって得られた被写体のスルー画像と、の少なくとも一方を前記第２の表示手段に更に表示させる
請求項４又は請求項５記載の情報提示方法。
【請求項７】
少なくとも撮像手段による撮像により得られた画像データによって示される画像を表示する第１の表示手段と、前記第１の表示手段よりも表示領域が広く、かつ少なくとも前記画像データによって示される画像を表示する第２の表示手段と、表示先を前記第１の表示手段及び前記第２の表示手段の何れか一方に切り替えるように設定する設定手段と、情報端末装置との間で通信を行なう通信手段と、を備えたデジタルカメラに対して情報を提示させる情報提示プログラムを記録したコンピュータ読み取り可能な記録媒体であって、
前記通信手段と前記情報端末装置との間で通信可能な状態であるか否かを検知する検知ステップと、
前記検知ステップにより通信可能な状態であると検知され、かつ前記設定手段により前記第１の表示手段が表示先として設定されている場合は、画像の表示先を前記第１の表示手段から前記第２の表示手段に切り替え、前記第２の表示手段に前記情報端末装置との間で通信可能であることを示す情報を表示させた後、前記検知ステップにより通信可能な状態でないと検知され、かつ前記設定手段により前記第１の表示手段が表示先として設定されている場合は、画像の表示先を前記第２の表示手段から前記第１の表示手段に切り替えるように制御する制御ステップと、
を含む情報提示プログラムを記録したコンピュータ読み取り可能な記録媒体。
【請求項８】
前記表示ステップにより前記第２の表示手段に前記情報を表示させるときに前記第１の表示手段への電力供給を遮断する電力供給遮断ステップを前記情報提示プログラムに更に含めた
請求項７記載のコンピュータ読み取り可能な記録媒体。
【請求項９】
前記制御ステップは、前記検知ステップにより通信可能な状態であると検知されたときに、前記通信手段と前記情報端末装置との間の通信モードを示す情報と、前記撮像手段による撮像によって得られた被写体のスルー画像と、の少なくとも一方を前記第２の表示手段に更に表示させる
請求項７又は請求項８記載のコンピュータ読み取り可能な記録媒体。
【発明の詳細な説明】
【０００１】
【発明の属する技術分野】
本発明は、デジタルカメラ、情報提示方法、及び記録媒体に係り、特に、情報端末装置に接続可能なデジタルカメラ、当該デジタルカメラにより各種情報を提示することができる情報提示方法及び記録媒体に関する。
【０００２】
【従来の技術】
近年、エレクトロニック・ビュー・ファインダ（以下、「ＥＶＦ」という。）と、液晶ディスプレイ（以下、「ＬＣＤ」という。）の２つの表示手段を備えたデジタルカメラが商品化されている。
【０００３】
このように２つの表示手段を備えたカメラに関する技術としては、特開平７−２９８１０９号公報に記載のものがある。
【０００４】
同公報に記載の技術では、ＥＶＦとＬＣＤの２つの表示手段を備えたビデオカメラ一体型ビデオテープレコーダにおいて、ＬＣＤパネルスイッチによりＬＣＤパネルが開いた状態とされていることが検知されたときはＬＣＤに被写体像を表示し、ＬＣＤパネルスイッチによりＬＣＤパネルが閉じた状態とされていることが検知されたときにはＥＶＦに被写体像を表示していた。
【０００５】
このように、２つの表示手段を備えたデジタルカメラでは、一般に、ユーザによる操作によって選択された何れか一方の表示手段のみに被写体像や各種情報を表示していた。
【０００６】
ところで、近年、パーソナル・コンピュータ（以下、「ＰＣ」という。）等の情報端末装置に接続して用いることができるデジタルカメラ（所謂、ＰＣカメラ）が商品化されている。このデジタルカメラによれば、情報端末装置に接続することによって、当該情報端末装置に備えられたディスプレイに対し撮影によって得られた画像を表示したり、撮影によって得られた画像データを当該情報端末装置に備えられたハードディスク等の記憶装置に記憶すること等ができる。
【０００７】
このように、情報端末装置に接続可能で、かつ前述のようなＥＶＦ及びＬＣＤの２つの表示手段を備えたデジタルカメラでは、情報端末装置に接続された際に当該情報端末装置との接続状態を示す情報をユーザによって選択された表示手段に対して表示していた。
【０００８】
【発明が解決しようとする課題】
しかしながら、このような従来のデジタルカメラでは、情報端末装置との接続状態を示す情報をユーザによって選択された表示手段に表示しているので、ユーザによってＥＶＦが選択されている場合にはＥＶＦに当該情報を表示してしまうため、情報端末装置との接続状態を確認し難い、という問題点があった。
【０００９】
本発明は上記問題点を解消するためになされたものであり、情報端末装置との接続状態を容易に確認することができるデジタルカメラを提供することを第１の目的とし、情報端末装置に接続可能なデジタルカメラと当該情報端末装置との接続状態を容易に確認することができる情報提示方法、及び記録媒体を提供することを第２の目的とする。
【００１０】
【課題を解決するための手段】
上記第１の目的を達成するために、請求項１記載のデジタルカメラは、被写体を撮像する撮像手段と、少なくとも前記撮像手段による撮像により得られた画像データによって示される画像を表示する第１の表示手段と、前記第１の表示手段よりも表示領域が広く、かつ少なくとも前記画像データによって示される画像を表示する第２の表示手段と、表示先を前記第１の表示手段及び前記第２の表示手段の何れか一方に切り替えるように設定する設定手段と、情報端末装置との間で通信を行なう通信手段と、前記通信手段と前記情報端末装置との間で通信可能な状態であるか否かを検知する検知手段と、前記検知手段により通信可能な状態であると検知され、かつ前記設定手段により前記第１の表示手段が表示先として設定されている場合は、画像の表示先を前記第１の表示手段から前記第２の表示手段に切り替え、前記第２の表示手段に前記情報端末装置との間で通信可能であることを示す情報を表示させた後、前記検知手段により通信可能な状態でないと検知され、かつ前記設定手段により前記第１の表示手段が表示先として設定されている場合は、画像の表示先を前記第２の表示手段から前記第１の表示手段に切り替えるように制御する制御手段と、を備えている。
【００１１】
請求項１に記載のデジタルカメラによれば、撮像手段によって被写体が撮像され、少なくとも撮像手段による撮像により得られた画像データによって示される画像を表示する第１の表示手段、及び第１の表示手段よりも表示領域が広く、かつ少なくとも上記画像データによって示される画像を表示する第２の表示手段の何れか一方に表示先を切り替えるように設定手段により設定される。
【００１２】
なお、上記撮像手段には、ＣＣＤ（Charge Coupled Device）、ＣＭＯＳ（Complementary Metal Oxide Semiconductor）イメージ・センサ等の撮像素子が含まれる。また、上記第１の表示手段は前述のＥＶＦに、上記第２の表示手段は前述のＬＣＤに、各々対応するものであり、各表示手段とも、液晶ディスプレイ、プラズマディスプレイ、有機ＥＬ（Electro-Luminescence）ディスプレイ、ＣＲＴディスプレイ等のディスプレイを適用することができる。
【００１３】
ここで、請求項１に記載のデジタルカメラでは、情報端末装置との間で通信を行なう通信手段と、上記情報端末装置との間で通信可能な状態であるか否かが検知手段によって検知され、かつ設定手段により第１の表示手段が表示先として設定されている場合は、制御手段によって、画像の表示先を第１の表示手段から第２の表示手段に切り替えられ、第２の表示手段に情報端末装置との間で通信可能であることを示す情報を表示された後、検知手段により通信可能な状態でないと検知され、かつ設定手段により第１の表示手段が表示先として設定されている場合は、制御手段によって、画像の表示先を第２の表示手段から第１の表示手段に切り替えるように制御される。
【００１４】
なお、上記通信手段による通信には、有線通信の他、無線通信も含まれる。ここで、上記有線通信には、ＵＳＢ（Universal Serial Bus）による通信、ＩＥＥＥ（Institute of Electrical and Electronics Engineers）１３９４による通信等が含まれ、上記無線通信には、ブルートゥース（Bluetooth）等の電波による通信、ＩｒＤＡ（Infrared Data Association）等の赤外線による通信等が含まれる。また、上記情報端末装置には、ＰＣ、ＰＤＡ（Personal Data Assistants；個人向け携帯型情報通信機器）等が含まれる。
【００１５】
すなわち、本発明では、デジタルカメラと情報端末装置との間で通信可能な状態とされているときに、たとえ設定手段によって表示先が第１の表示手段に設定されている場合であっても、表示領域が第１の表示手段より広い第２の表示手段に情報端末装置との間で通信可能であることを示す情報を表示させており、これによって情報端末装置との接続状態を容易に確認することができるようにしている。
【００１６】
このように、請求項１に記載のデジタルカメラによれば、情報端末装置との間で通信可能な状態であると検知されたときに、表示領域が第１の表示手段より広い第２の表示手段に情報端末装置との間で通信可能であることを示す情報を表示させているので、情報端末装置との接続状態を容易に確認することができる。
【００１７】
また、請求項２記載のデジタルカメラは、請求項１記載の発明において、前記制御手段は、前記第２の表示手段に前記情報を表示させるときに前記第１の表示手段への電力供給を遮断するものである。
【００１８】
請求項２に記載のデジタルカメラによれば、制御手段により、第２の表示手段に上記情報を表示させるときに第１の表示手段への電力供給が遮断される。
【００１９】
このように、請求項２に記載のデジタルカメラによれば、請求項１記載の発明と同様の効果を奏することができると共に、第２の表示手段に情報を表示させるときに第１の表示手段への電力供給を遮断しているので、設定手段により表示先として第１の表示手段が設定されている場合における消費電力を低減することができる。
【００２０】
また、請求項３記載のデジタルカメラは、請求項１又は請求項２記載の発明において、前記制御手段は、前記検知手段により通信可能な状態であると検知されたときに、前記通信手段と前記情報端末装置との間の通信モードを示す情報と、前記撮像手段による撮像によって得られた被写体のスルー画像と、の少なくとも一方を前記第２の表示手段に更に表示させるものである。
【００２１】
請求項３に記載のデジタルカメラによれば、制御手段により、検知手段によって通信可能な状態であると検知されたときに、通信手段と情報端末装置との間の通信モードを示す情報と、撮像手段による撮像によって得られた被写体のスルー画像と、の少なくとも一方が第２の表示手段に更に表示される。
【００２２】
このように、請求項３に記載のデジタルカメラによれば、請求項１又は請求項２記載の発明と同様の効果を奏することができると共に、通信可能な状態であると検知されたときに、通信手段と情報端末装置との間の通信モードを示す情報と、撮像手段による撮像によって得られた被写体のスルー画像と、の少なくとも一方を第２の表示手段に更に表示しているので、第２の表示手段に表示された通信モードを示す情報及びスルー画像の少なくとも一方も容易に確認できる。
【００２３】
一方、上記第２の目的を達成するために、請求項４記載の情報提示方法は、少なくとも撮像手段による撮像により得られた画像データによって示される画像を表示する第１の表示手段と、前記第１の表示手段よりも表示領域が広く、かつ少なくとも前記画像データによって示される画像を表示する第２の表示手段と、表示先を前記第１の表示手段及び前記第２の表示手段の何れか一方に切り替えるように設定する設定手段と、情報端末装置との間で通信を行なう通信手段と、を備えたデジタルカメラを用いた情報提示方法であって、前記通信手段と前記情報端末装置との間で通信可能な状態であるか否かを検知し、通信可能な状態であると検知され、かつ前記設定手段により前記第１の表示手段が表示先として設定されている場合は、画像の表示先を前記第１の表示手段から前記第２の表示手段に切り替え、前記第２の表示手段に前記情報端末装置との間で通信可能であることを示す情報を表示させた後、通信可能な状態でないと検知され、かつ前記設定手段により前記第１の表示手段が表示先として設定されている場合は、画像の表示先を前記第２の表示手段から前記第１の表示手段に切り替えるように制御するものである。
【００２４】
なお、上記撮像手段には、ＣＣＤ、ＣＭＯＳイメージ・センサ等の撮像素子が含まれる。また、上記第１の表示手段は前述のＥＶＦに、上記第２の表示手段は前述のＬＣＤに、各々対応するものであり、各表示手段とも、液晶ディスプレイ、プラズマディスプレイ、有機ＥＬディスプレイ、ＣＲＴディスプレイ等のディスプレイを適用することができる。また、上記通信手段による通信には、有線通信の他、無線通信も含まれる。ここで、上記有線通信には、ＵＳＢによる通信、ＩＥＥＥ１３９４による通信等が含まれ、上記無線通信には、ブルートゥース等の電波による通信、ＩｒＤＡ等の赤外線による通信等が含まれる。更に、上記情報端末装置には、ＰＣ、ＰＤＡ等が含まれる。
【００２５】
すなわち、本発明では、デジタルカメラと情報端末装置との間で通信可能な状態とされているときに、たとえ設定手段によって表示先が第１の表示手段に設定されている場合であっても、表示領域が第１の表示手段より広い第２の表示手段に情報端末装置との間で通信可能であることを示す情報を表示させており、これによって情報端末装置との接続状態を容易に確認することができるようにしている。
【００２６】
このように、請求項４に記載の情報提示方法によれば、デジタルカメラに備えられた通信手段と情報端末装置との間で通信可能な状態であると検知されたときに、表示領域が第１の表示手段より広い第２の表示手段に情報端末装置との間で通信可能であることを示す情報を表示させているので、情報端末装置に接続可能なデジタルカメラと当該情報端末装置との接続状態を容易に確認することができる。
【００２７】
また、請求項５記載の情報提示方法は、請求項４記載の発明において、前記第２の表示手段に前記情報を表示させるときに前記第１の表示手段への電力供給を遮断するものである。
【００２８】
このように、請求項５に記載の情報提示方法によれば、請求項４記載の発明と同様の効果を奏することができると共に、第２の表示手段に情報を表示させるときに第１の表示手段への電力供給を遮断しているので、設定手段により表示先として第１の表示手段が設定されている場合における消費電力を低減することができる。
【００２９】
更に、請求項６記載の情報提示方法は、請求項４又は請求項５記載の発明において、前記通信可能な状態であると検知されたときに、前記通信手段と前記情報端末装置との間の通信モードを示す情報と、前記撮像手段による撮像によって得られた被写体のスルー画像と、の少なくとも一方を前記第２の表示手段に更に表示させるものである。
【００３０】
このように、請求項６に記載の情報提示方法によれば、請求項４又は請求項５記載の発明と同様の効果を奏することができると共に、通信可能な状態であると検知されたときに、通信手段と情報端末装置との間の通信モードを示す情報と、撮像手段による撮像によって得られた被写体のスルー画像と、の少なくとも一方を第２の表示手段に更に表示させているので、第２の表示手段に表示された通信モードを示す情報及びスルー画像の少なくとも一方も容易に確認できる。
【００３１】
なお、請求項７、請求項８、及び請求項９記載の情報提示プログラムを記録したコンピュータ読み取り可能な記録媒体は、各々、コンピュータに対して請求項４、請求項５、及び請求項６記載の発明と同様に作用させるプログラムを記録した記録媒体であり、当該記録媒体には、ＲＡＭ（Random Access Memory）、ＲＯＭ（Read Only Memory）、ＥＥＰＲＯＭ（Electrically Erasable and Programmable Read Only Memory）、フラッシュＥＥＰＲＯＭ（Flash ＥＥＰＲＯＭ）等の記憶素子や、スマート・メディア（SmartMedia）、コンパクト・フラッシュ（CompactFlash）、ＡＴＡ（AT Attachment）カード、フロッピィディスク、ＣＤ−Ｒ（Compact Disc-Recordable）、ＣＤ−ＲＷ（Compact Disc-ReWritable）、光磁気ディスク、磁気テープ等の可搬記録媒体やハードディスク等の固定記録媒体、或いはネットワークに接続されたサーバ・コンピュータ等に設けられた外部記憶装置等を用いることができる。
【００３２】
【発明の実施の形態】
以下、図面を参照して、本発明の実施の形態について詳細に説明する。まず、図１を参照して、本実施の形態に係るデジタルカメラ１０の構成を説明する。
【００３３】
同図に示すように、本実施の形態に係るデジタルカメラ１０は、被写体像を結像させるためのレンズを含んで構成された光学ユニット２０と、上記レンズの光軸後方に配設されたＣＣＤ２２と、ＣＣＤ２２からの出力信号に基づき被写体像を示すデジタル画像データを生成すると共に光学ユニット２０の各部、ＣＣＤ２２等を駆動するためのタイミング信号を生成する信号処理部４０と、デジタルカメラ１０の全体的な動作を司る主制御部６０と、ＣＣＤ２２を駆動する垂直・水平ドライバ２４と、光学ユニット２０に含まれるシャッタ及び絞りを駆動するシャッタ・アイリスモータドライバ２６と、光学ユニット２０に含まれる焦点調整モータを駆動するフォーカスモータドライバ２８と、光学ユニット２０に含まれるズームモータを駆動するズームモータドライバ３０と、を含んで構成されている。
【００３４】
なお、信号処理部４０及び主制御部６０は１チップＬＳＩ（Large Scale Integrated circuit）として構成されており、これによってデジタルカメラ１０の小型化、高信頼性化、及び低コスト化が図られている。
【００３５】
また、デジタルカメラ１０は、ＣＣＤ２２による撮像によって得られた被写体像や各種情報を表示するＬＣＤ７２と、ＬＣＤ７２の表面に設置された感圧式のタッチパネル７３と、主としてＣＣＤ２２による撮像によって得られたデジタル画像データを記憶するＳＤＲＡＭ（Synchronous Dynamic RAM）７４と、各種パラメータやプログラム等を記憶したフラッシュＲＯＭ７６と、ＣＣＤ２２による撮像によって得られた被写体像や各種情報を表示するＥＶＦ７８と、ＵＳＢコネクタ８０と、被写体像や各種情報の表示先をＬＣＤ７２及びＥＶＦ７８の何れかに切り替えるＥＶＦ／ＬＣＤ切替スイッチ８２と、主制御部６０に対して電源電力を供給する電源部８４と、を含んで構成されている。なお、上記ＥＶＦ／ＬＣＤ切替スイッチ８２には、スライドスイッチや押下スイッチ等のスイッチや接触センサ等のセンサ等が含まれる。
【００３６】
一方、信号処理部４０は、相関２重サンプリング回路４２と、ゲインコントローラ４４と、Ａ／Ｄコンバータ４６と、タイミングジェネレータ４８と、を含んで構成されている。
【００３７】
また、主制御部６０は、主制御部６０全体の動作を司るＣＰＵ（中央演算処理装置）６１と、所定容量のラインバッファを内蔵した撮像制御部６２と、所定の圧縮形式（本実施の形態ではＪＰＥＧ（Joint Photographic Experts Group）形式）でデジタル画像データに対して圧縮処理を施すと共に、圧縮処理されたデジタル画像データに対して伸張処理を施す圧縮・伸張部６３と、メディア制御部６４と、ＬＣＤ制御部６５と、ビデオエンコーダ６６と、外部接続部６８と、がバスＢＵＳを介して相互に接続されて構成されている。
【００３８】
メディア制御部６４にはスマートメディア、ＩＣカード、ＣＤ−Ｒ、ＣＤ−ＲＷ等の可搬型の記憶メディア７０が接続されており、メディア制御部６４によって記憶メディア７０に対する各種情報の書き込みや当該記憶メディア７０に書き込まれている各種情報の読み出しが制御される。また、ＬＣＤ制御部６５にはＬＣＤ７２が接続されており、ＬＣＤ７２にはＬＣＤ制御部６５の制御下で各種情報の表示がなされる。また、ビデオエンコーダ６６にはＤ／Ａコンバータ６７を介してＥＶＦ７８が接続されており、ビデオエンコーダ６６及びＤ／Ａコンバータ６７によりＥＶＦ７８に表示すべき映像を示す画像データをＮＴＳＣ方式のカラー複合映像信号に変換してＥＶＦ７８に出力する。更に、外部接続部６８にはＵＳＢコネクタ８０が接続されており、外部接続部６８はＵＳＢコネクタ８０に接続された装置（本実施の形態では、ＰＣ９０）との間のＵＳＢによる通信を司る。
【００３９】
なお、ＬＣＤ７２及びＥＶＦ７８は、ＣＣＤ２２による連続的な撮像によって得られた動画像（スルー画像）を表示してファインダとして使用することができる。
【００４０】
一方、ＥＶＦ／ＬＣＤ切替スイッチ８２はＣＰＵ６１に接続されており、ＣＰＵ６１はＥＶＦ／ＬＣＤ切替スイッチ８２による表示先の設定状態を常時把握することができる。
【００４１】
また、タッチパネル７３、ＳＤＲＡＭ７４及びフラッシュＲＯＭ７６は主制御部６０のバスＢＵＳに接続されている。従って、ＣＰＵ６１は、タッチパネル７３に対するユーザによる接触位置を把握することができると共に、ＳＤＲＡＭ７４及びフラッシュＲＯＭ７６を任意にアクセスすることができる。
【００４２】
一方、ＣＣＤ２２の出力端は相関２重サンプリング回路４２、ゲインコントローラ４４、及びＡ／Ｄコンバータ４６を順に介して撮像制御部６２に接続されており、ＣＣＤ２２から出力された信号は、相関２重サンプリング回路４２によって相関２重サンプリング処理が施され、ゲインコントローラ４４によってＣＣＤ２２におけるＲ（赤）、Ｇ（緑）、Ｂ（青）毎の感度調整が施された後、各画素毎のＲ、Ｇ、Ｂ信号としてＡ／Ｄコンバータ４６に加えられる。Ａ／Ｄコンバータ４６は、ゲインコントローラ４４から順次加えられるＲ、Ｇ、Ｂ信号を各々１２ビットのＲ、Ｇ、Ｂ信号（以下、「デジタル画像データ」という。）に変換して撮像制御部６２に出力する。
【００４３】
撮像制御部６２は内蔵しているラインバッファにＡ／Ｄコンバータ４６から順次入力されるデジタル画像データを蓄積して一旦ＳＤＲＡＭ７４に格納する。
【００４４】
ＳＤＲＡＭ７４に格納されたデジタル画像データは、ＣＰＵ６１によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びＳＤＲＡＭ７４に格納する。
【００４５】
なお、ＬＣＤ７２又はＥＶＦ７８をファインダとして使用する場合には、生成したＹＣ信号を、ＥＶＦ／ＬＣＤ切替スイッチ８２によってＬＣＤ７２が表示先として設定されている場合はＬＣＤ制御部６５に、ＥＶＦ７８が表示先として設定されている場合にはビデオエンコーダ６６に、各々順次出力する。これによって、ＥＶＦ／ＬＣＤ切替スイッチ８２により設定された表示先にスルー画像が表示されることになる。
【００４６】
また、不図示のシャッターボタンが撮影者によって押圧操作された場合には、ＳＤＲＡＭ７４に格納されたＹＣ信号を、圧縮・伸張部６３によって所定の圧縮形式で圧縮した後にメディア制御部６４を介して記憶メディア７０に記憶する。
【００４７】
一方、タイミングジェネレータ４８には垂直・水平ドライバ２４、シャッタ・アイリスモータドライバ２６、及び撮像制御部６２が接続されており、タイミングジェネレータ４８は、ＣＣＤ２２を駆動させるためのタイミング信号を垂直・水平ドライバ２４に、光学ユニット２０に備えられたシャッター及び絞りを駆動させるためのタイミング信号をシャッタ・アイリスモータドライバ２６に、撮像制御部６２を駆動させるためのタイミング信号を撮像制御部６２に、各々出力する。
【００４８】
また、フォーカスモータドライバ２８及びズームモータドライバ３０の入力端は各々主制御部６０（より詳しくはＣＰＵ６１）に接続され、フォーカスモータドライバ２８の出力端は光学ユニット２０に備えられた焦点調整モータに、ズームモータドライバ３０の出力端は光学ユニット２０に備えられたズームモータに、各々接続されている。
【００４９】
本実施の形態に係る光学ユニット２０に含まれるレンズは複数枚のレンズを有し、焦点距離の変更（変倍）が可能なズームレンズとして構成されており、図示しないレンズ駆動機構を備えている。このレンズ駆動機構にズームモータ及び焦点調整モータは含まれるものであり、ズームモータ及び焦点調整モータは各々ＣＰＵ６１の制御下でズームモータドライバ３０及びフォーカスモータドライバ２８から供給された駆動信号によって駆動される。
【００５０】
ＣＰＵ６１は、光学ズーム倍率を変更する際にはズームモータを駆動制御して光学ユニット２０に含まれるレンズの焦点距離を変化させる。
【００５１】
また、ＣＰＵ６１は、ＣＣＤ２２による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用しており、オートフォーカス・フレームによって示される撮影位置に被写体が位置した状態で不図示のシャッターボタンを半押しすることによって、自動的に合焦制御が為されるように構成されている。
【００５２】
ところで、デジタルカメラ１０には、ＵＳＢコネクタ８０を介して他の装置に接続された際の通信モードとして、接続された装置に対してＣＣＤ２２による撮像により得られたデジタル画像データをスルー画像データとして連続的に送信することができるＰＣカメラモードと、接続された装置に記憶メディア７０をアクセスさせることができるマスストレージカメラモードと、の２種類の通信モードが予め備えられている。なお、これらのモードは何れか一方のみが選択することができるものであり、この選択は、前述のタッチパネル７３を用いて行なわれる。
【００５３】
ＣＣＤ２２が本発明の撮像手段に、ＥＶＦ７８が本発明の第１の表示手段に、ＬＣＤ７２が本発明の第２の表示手段に、外部接続部６８が本発明の通信手段に、ＣＰＵ６１が本発明の設定手段、検知手段及び制御手段に、ＰＣ９０が本発明の情報端末装置に、各々相当する。
【００５４】
次に、本実施の形態に係るデジタルカメラ１０の作用を説明する。まず、図２を参照して、デジタルカメラ１０によって実行されるモード設定処理について説明する。なお、図２は、ユーザによって当該デジタルカメラ１０の電源スイッチ（図示省略）がオンされ、モード設定処理の実行を指示するためのスイッチ（図示省略）が操作された際にデジタルカメラ１０のＣＰＵ６１によって実行されるモード設定処理プログラムの処理の流れを示すフローチャートであり、該プログラムは予めフラッシュＲＯＭ７６の所定領域に記憶されている。また、ここでは、ユーザによる操作によってＥＶＦ／ＬＣＤ切替スイッチ８２により表示先がＬＣＤ７２に設定されていることを前提に説明する。
【００５５】
同図のステップ１００では、モード選択画面を示す画像データをＬＣＤ制御部６５に出力することによりモード選択画面をＬＣＤ７２に表示し、次のステップ１０２でユーザによるタッチパネル７３を用いたモードの選択待ちを行う。なお、上記モード選択画面を示す画像データも、予めフラッシュＲＯＭ７６の所定領域に記憶されている。
【００５６】
図３には、上記ステップ１００の処理によってＬＣＤ７２に表示されたモード選択画面が示されている。
【００５７】
同図に示すように、本実施の形態に係るモード選択画面では、通信モードの指定を促す旨のメッセージが表示されると共に、選択可能な通信モードとして、前述のＰＣカメラモードとマスストレージカメラモードの２つのモード名が表示されている。このようなモード選択画面がＬＣＤ７２に表示されると、ユーザは、ＬＣＤ７２の表面に設置されているタッチパネル７３における所望の通信モード名の表示位置に対応する位置を指先で接触指定する。これによって、ＣＰＵ６１には、ユーザによって接触指定された位置を示す情報がタッチパネル７３からバスＢＵＳを介して入力される。
【００５８】
ユーザによって所望の通信モードが指定されると上記ステップ１０２が肯定判定となってステップ１０４へ移行する。
【００５９】
ステップ１０４では、上記ステップ１０２で入力された情報に基づいて、ユーザによって選択された通信モードがＰＣカメラモードであったか否かを判定し、肯定判定の場合はステップ１０６へ移行してデジタルカメラ１０をＰＣカメラモードとするように設定するべく予め定められた処理を実行した後に本モード設定処理を終了し、否定判定の場合は、ユーザによって選択された通信モードがマスストレージカメラモードであったものと見なしてステップ１０８へ移行し、デジタルカメラ１０をマスストレージカメラモードとするように設定するべく予め定められた処理を実行した後に本モード設定処理を終了する。
【００６０】
本モード設定処理により、デジタルカメラ１０がＵＳＢコネクタ８０を介して他の装置に接続された際の通信モードを設定することができる。
【００６１】
次に、図４を参照して、デジタルカメラ１０によって実行される情報提示処理について説明する。なお、図２は、ユーザによって当該デジタルカメラ１０の電源スイッチ（図示省略）がオン状態となっているときに、所定時間毎にデジタルカメラ１０のＣＰＵ６１によって実行される情報提示プログラムの処理の流れを示すフローチャートであり、該プログラムも予めフラッシュＲＯＭ７６の所定領域に記憶されている。
【００６２】
同図のステップ２００では、ＵＳＢコネクタ８０に他の装置（本実施の形態では、ＰＣ９０）が接続されているか否かを判定し、肯定判定の場合はステップ２０２へ移行し、否定判定の場合は本情報提示処理を終了する。なお、ＵＳＢコネクタ８０に他の装置が接続されているか否かの判定は、ＵＳＢにおいて規定されている電源ラインによって上記他の装置から電源の供給がなされているか否かを判定することによって行なうことができる。
【００６３】
ステップ２０２では、ＥＶＦ／ＬＣＤ切替スイッチ８２によってＥＶＦ７８が表示先として設定されているか否かを判定し、肯定判定の場合はステップ２０４へ移行して、これ以降の表示先をＬＣＤ７２とするための所定の処理（ＥＶＦ／ＬＣＤ切替スイッチ８２によってＬＣＤ７２が表示先として設定されたときと同様の処理）を実行し、次のステップ２０６でＥＶＦ７８への電力供給を遮断した後にステップ２０８に移行する。上記ステップ２０４及びステップ２０６の処理により、これ以降の各種表示はＬＣＤ７２のみになされることになる。
【００６４】
一方、上記ステップ２０２で否定判定された場合はＥＶＦ／ＬＣＤ切替スイッチ８２によってＬＣＤ７２が表示先として設定されているものと見なして、上記ステップ２０４及びステップ２０６の処理を実行することなくステップ２０８に移行する。
【００６５】
ステップ２０８では、前述のモード設定処理（図２も参照）により、ユーザによって選択された通信モードがＰＣカメラモードであったか否かを判定し、肯定判定の場合はステップ２１０へ移行して、デジタルカメラ１０が他の装置とＵＳＢ接続されている旨を示すメッセージ及びユーザによって選択された通信モードを示すメッセージをＬＣＤ７２に表示させるようにＬＣＤ制御部６５を制御すると共に、これらのメッセージに重ね合わせてＣＣＤ２２による連続的な撮像によって得られたスルー画像をＬＣＤ７２に表示するための所定の処理を実行した後にステップ２１４へ移行する。
【００６６】
図５には、上記ステップ２１０の実行に応じたＬＣＤ７２の表示例が示されている。同図に示す例では、スルー画像がＬＣＤ７２の表示領域の略中央部に表示されると共に、ＵＳＢ接続されている旨を示すメッセージとして「ＵＳＢ接続中」が、通信モードを示すメッセージとして「通信モード：ＰＣカメラモード」が、各々表示されている。
【００６７】
一方、上記ステップ２０８において否定判定された場合は、前述のモード設定処理により、ユーザによって選択された通信モードがマスストレージカメラモードであったものと見なしてステップ２１２に移行し、デジタルカメラ１０が他の装置とＵＳＢ接続されている旨を示すメッセージ及びユーザによって選択された通信モードを示すメッセージをＬＣＤ７２に表示させるようにＬＣＤ制御部６５を制御した後にステップ２１４へ移行する。
【００６８】
従って、この場合は、ＬＣＤ７２に対し、一例として図５に示した表示からスルー画像が除かれ、かつ通信モードがマスストレージカメラモードであることを示す表示がなされることになる。上記「デジタルカメラ１０が他の装置とＵＳＢ接続されている旨を示すメッセージ」が本発明の「情報端末装置との間で通信可能であることを示す情報」に、上記「ユーザによって選択された通信モードを示すメッセージ」が本発明の「通信モードを示す情報」に、各々相当する。
【００６９】
ステップ２１４では、ＵＳＢコネクタ８０に接続された装置の切断（ＵＳＢコネクタ８０からの取り外し）待ちを行ない、次のステップ２１６では、ＥＶＦ／ＬＣＤ切替スイッチ８２によってＥＶＦ７８が表示先として設定されているか否かを判定し、肯定判定の場合はステップ２１８へ移行して、これ以降の表示先をＥＶＦ７８とするための所定の処理（ＥＶＦ／ＬＣＤ切替スイッチ８２によってＥＶＦ７８が表示先として設定されたときと同様の処理）を実行し、次のステップ２２０でＥＶＦ７８への電力供給を再開した後に本情報提示処理を終了する。
【００７０】
一方、上記ステップ２１６で否定判定された場合はＥＶＦ／ＬＣＤ切替スイッチ８２によってＬＣＤ７２が表示先として設定されているものと見なして、上記ステップ２１８及びステップ２２０の処理を実行することなく本情報提示処理を終了する。
【００７１】
本情報提示処理におけるステップ２００、及びステップ２１４が本発明の検知ステップに、ステップ２０４、ステップ２１０、ステップ２１２、及びステップ２１８が本発明の制御ステップに、ステップ２０６が本発明の電力供給遮断ステップに、各々相当する。
【００７２】
図６には、本実施の形態に係る情報提示方法の全体的な流れが模式的に示されている。
【００７３】
同図に示すように、本実施の形態では、デジタルカメラ１０によって撮影を行なう際に、ＥＶＦ／ＬＣＤ切替スイッチ８２によりＥＶＦ７８が表示先として設定されている場合はＥＶＦ７８に対してスルー画像が表示される。このとき、ＬＣＤ７２には何も表示されない。
【００７４】
この状態のまま、デジタルカメラ１０がＵＳＢケーブル８８によりＰＣ９０に接続されたときには、ＥＶＦ７８に対する表示を停止し、かつＬＣＤ７２に対して各種情報（本実施の形態では、他の装置とＵＳＢ接続されている旨を示すメッセージ、通信モードを示すメッセージ、及びＰＣカメラモードが設定されている場合のスルー画像）を表示する。
【００７５】
以上詳細に説明したように、本実施の形態に係るデジタルカメラ１０では、ＰＣ９０との間で通信可能な状態であると検知されたときに、表示領域がＥＶＦ７８より広いＬＣＤ７２にＰＣ９０との間で通信可能であることを示す情報を表示させているので、ＰＣ９０との接続状態を容易に確認することができる。
【００７６】
また、本実施の形態に係るデジタルカメラ１０では、ＬＣＤ７２にＰＣ９０との間で通信可能であることを示す情報を表示させるときにＥＶＦ７８への電力供給を遮断しているので、ＥＶＦ／ＬＣＤ切替スイッチ８２により表示先としてＥＶＦ７８が設定されている場合における消費電力を低減することができる。
【００７７】
更に、本実施の形態に係るデジタルカメラ１０では、ＰＣ９０との間で通信可能な状態であると検知されたときに、ＰＣ９０との間の通信モードを示す情報と、ＣＣＤ２２による撮像によって得られた被写体のスルー画像と、の少なくとも一方をＬＣＤ７２に更に表示しているので、ＬＣＤ７２に表示された通信モードを示す情報及びスルー画像の少なくとも一方も容易に確認できる。
【００７８】
また、本実施の形態に係る情報提示方法では、デジタルカメラ１０とＰＣ９０との間で通信可能な状態であると検知されたときに、表示領域がＥＶＦ７８より広いＬＣＤ７２にＰＣ９０との間で通信可能であることを示す情報を表示させているので、ＰＣ９０に接続可能なデジタルカメラ１０と当該ＰＣ９０との接続状態を容易に確認することができる。
【００７９】
また、本実施の形態に係る情報提示方法では、ＬＣＤ７２にＰＣ９０との間で通信可能であることを示す情報を表示させるときにＥＶＦ７８への電力供給を遮断しているので、設定手段により表示先としてＥＶＦ７８が設定されている場合における消費電力を低減することができる。
【００８０】
更に、本実施の形態に係る情報提示方法では、通信可能な状態であると検知されたときに、デジタルカメラ１０とＰＣ９０との間の通信モードを示す情報と、ＣＣＤ２２による撮像によって得られた被写体のスルー画像と、の少なくとも一方をＬＣＤ７２に更に表示させているので、ＬＣＤ７２に表示された通信モードを示す情報及びスルー画像の少なくとも一方も容易に確認できる。
【００８１】
なお、本実施の形態では、デジタルカメラ１０と他の装置とをＵＳＢにより接続する場合について説明したが、本発明はこれに限定されるものではなく、ＵＳＢ以外の有線通信（例えば、ＩＥＥＥ１３９４等）により接続する形態や、無線通信（例えば、ブルートゥース、ＩｒＤＡ等）により接続する形態とすることもできる。この場合も、本実施の形態と同様の効果を奏することができる。
【００８２】
また、本実施の形態では、情報提示処理（図４参照）をデジタルカメラ１０において実行する場合について説明したが、本発明はこれに限定されるものではなく、例えば、デジタルカメラ１０が接続された装置（本実施の形態では、ＰＣ９０）において実行する形態とすることもできる。この場合は、デジタルカメラ１０のＣＰＵ６１に対する演算負荷を軽減することができると共に、既存のデジタルカメラ（ＰＣカメラ）を用いることができるので、本発明の情報提示方法を低コストに実現できる。
【００８３】
また、本実施の形態において説明した各プログラムの処理の流れ（図２及び図４参照）は一例であり、本発明の主旨を逸脱しない範囲内において適宜変更可能であることは言うまでもない。
【００８４】
【発明の効果】
本発明に係るデジタルカメラによれば、情報端末装置との間で通信可能な状態であると検知されたときに、表示領域が第１の表示手段より広い第２の表示手段に情報端末装置との間で通信可能であることを示す情報を表示させているので、情報端末装置との接続状態を容易に確認することができる、という効果が得られる。
【００８５】
また、本発明に係る情報提示方法及び記録媒体によれば、デジタルカメラに備えられた通信手段と情報端末装置との間で通信可能な状態であると検知されたときに、表示領域が第１の表示手段より広い第２の表示手段に情報端末装置との間で通信可能であることを示す情報を表示させているので、情報端末装置に接続可能なデジタルカメラと当該情報端末装置との接続状態を容易に確認することができる、という効果が得られる。
【図面の簡単な説明】
【図１】  実施の形態に係るデジタルカメラ１０の構成を示すブロック図である。
【図２】  実施の形態に係るモード設定処理プログラムの処理の流れを示すフローチャートである。
【図３】  実施の形態に係るモード選択画面の表示例を示す概略図である。
【図４】  実施の形態に係る情報提示プログラムの処理の流れを示すフローチャートである。
【図５】  他の装置に接続され、かつＰＣカメラモードが設定されているときのＬＣＤ７２の表示例を示す概略図である。
【図６】  実施の形態に係る情報提示方法の全体的な流れの説明に供する模式図である。
【符号の説明】
１０    デジタルカメラ
２０    光学ユニット
２２    ＣＣＤ（撮像手段）
６１    ＣＰＵ（設定手段、検知手段及び制御手段）
６８    外部接続部（通信手段）
７０    記憶メディア
７２    液晶ディスプレイ（第２の表示手段）
７３    タッチパネル
７６    フラッシュＲＯＭ（記録媒体）
７８    エレクトロニック・ビュー・ファインダ（第１の表示手段）
８０    ＵＳＢコネクタ
９０    パーソナル・コンピュータ（情報端末装置）
【図１】
0004226813.tif 000002
【図２】
0004226813.tif 000003
【図３】
0004226813.tif 000004
【図４】
0004226813.tif 000005
【図５】
0004226813.tif 000006
【図６】
0004226813.tif 000007